(57)【要約】【課題】バックライト装置の盤面輝度をより均一にし、輝度ムラをなくす。【解決手段】バックライト装置１内部の温度分布が均一でないために、冷陰極蛍光ランプ３の温度特性により輝度が低下する部分において、冷陰極蛍光ランプ３の輝度が低下していない部分よりも冷陰極蛍光ランプ３を配置する幅を狭くする。これにより、輝度分布がより均一なバックライト装置１を提供することができる。また、輝度が低下する部分において、ガス圧がより低い冷陰極蛍光ランプを配置する。これにより、輝度分布がより均一なバックライト装置を提供することができる。【選択図】図１
2007280915.tif 000002
【特許請求の範囲】
【請求項１】
発光面を備えた筐体内に複数の蛍光ランプを平行に配置して、前記発光面に前記蛍光ランプの光を照射するバックライト装置であって、
前記筐体内の温度分布の偏りによって前記蛍光ランプの輝度が低下する部分においては、前記蛍光ランプの輝度が低下しない部分よりも前記蛍光ランプの配置間隔を狭くしたことを特徴とするバックライト装置。
【請求項２】
発光面を備えた筐体内に複数の蛍光ランプを平行に配置して、前記発光面に前記蛍光ランプの光を照射するバックライト装置であって、
前記筐体内の温度分布の偏りによって前記蛍光ランプの輝度が低下する部分においては、前記蛍光ランプの輝度が低下しない部分よりも前記蛍光ランプと前記発光面との距離を短くしたことを特徴とするバックライト装置。
【請求項３】
発光面を備えた筐体内に複数の蛍光ランプを平行に配置して、前記発光面に前記蛍光ランプの光を照射するバックライト装置であって、
前記蛍光ランプの管壁温度が最適範囲より高くなることによって、当該蛍光ランプの輝度が低下する部分においては、管壁温度が最適範囲である前記蛍光ランプよりも前記蛍光ランプのガス圧力を低くし、
前記蛍光ランプの管壁温度が最適範囲より低くなることによって、当該蛍光ランプの輝度が低下する部分においては、管壁温度が最適範囲である前記蛍光ランプよりも前記蛍光ランプのガス圧力を高くしたことを特徴とするバックライト装置。
【請求項４】
発光面を備えた筐体内に複数の蛍光ランプを平行に配置して、前記発光面に前記蛍光ランプの光を照射するバックライト装置であって、
前記蛍光ランプの管壁温度が最適範囲より高くなることによって、当該蛍光ランプの輝度が低下する部分においては、管壁温度が最適範囲である前記蛍光ランプよりも前記蛍光ランプのガスの組成について質量数の大きい物質の比率を下げ、
前記蛍光ランプの管壁温度が最適範囲より低くなることによって、当該蛍光ランプの輝度が低下する部分においては、管壁温度が最適範囲である前記蛍光ランプよりも前記蛍光ランプのガスの組成について質量数の大きい物質の比率を上げたことを特徴とするバックライト装置。
【請求項５】
発光面を備えた筐体内に複数の蛍光ランプを平行に配置して、前記発光面に前記蛍光ランプの光を照射するバックライト装置であって、
前記筐体内の温度分布の偏りによって前記蛍光ランプの輝度が低下する部分においては、前記蛍光ランプの輝度が低下しない部分よりもランプ電力を大きくしたことを特徴とするバックライト装置。
【請求項６】
発光面を備えた筐体と、前記筐体の内側に配置された反射板と、前記筐体内に平行に配置された複数の蛍光ランプとを有し、前記発光面に前記蛍光ランプの光を照射するバックライト装置であって、
前記反射板は、反射率の異なる複数の反射板で構成され、
前記筐体内の温度分布の偏りによって輝度が低下する前記蛍光ランプに対応する部分の反射板の反射率が輝度が低下しない前記蛍光ランプに対応する部分の反射板の反射率よりも高くなっていることを特徴とするバックライト装置。
【請求項７】
発光面を備えた筐体と、前記筐体の内側に配置された反射板と、前記筐体内に平行に配置された複数の蛍光ランプとを有し、前記発光面に前記蛍光ランプの光を照射するバックライト装置であって、
前記筐体内の温度分布の偏りによって輝度が低下する前記発光面のほうが輝度が低下しない前記発光面よりも前記蛍光ランプの光がより多く照射されるように前記反射板に突起を備えたことを特徴とするバックライト装置。
【発明の詳細な説明】
【技術分野】
【０００１】
本発明は、蛍光ランプを使用した、液晶表示装置に用いられるバックライト装置に関する。
【背景技術】
【０００２】
液晶ディスプレイなどに用いられる液晶は、自ら発光しないため外部の光源が必要となる。外部の光源を用いる液晶ディスプレイとして、自然光を反射板によって反射させる反射型や液晶パネルの背面から光を透過させる透過型のものが知られている。液晶パネルの背面に配置した光源として、発光ダイオードや蛍光ランプなどを用いたバックライトが知られている。また、バックライトの方式には、蛍光ランプなどを液晶パネルの背面に配置した直下式と、蛍光ランプなどを液晶パネルの端に配置し、液晶パネルの背面に導光板を備えて光を拡散させるエッジライト式がある。直下式のバックライト装置は、エッジライト式のものにくらべて高輝度化が容易な反面、輝度ムラが出やすく、薄型化が困難であるという欠点がある。
【０００３】
図１６は、冷陰極蛍光ランプ１３を用いた従来の直下式バックライト装置１１を分解して構成を示す斜視図である。同図に示すバックライト装置１１は、筐体１２内部に複数の冷陰極蛍光ランプ１３を並べ、筐体１２の上面（発光面）を拡散板１２ａにより密閉したものである。拡散板１２ａ上には、輝度ムラを低減するために、拡散シート１４、プリズムシート１５および偏光シート１６が配置され、フロントフレーム１７により固定される。また、筐体１２内部の底面には反射シートを備えて、冷陰極蛍光ランプ１３から放射された光を反射シートにより反射し、バックライト装置１１の上面より光を放射する。
【０００４】
図１７（ａ）は、図１６に示した従来のバックライト装置内の冷陰極蛍光ランプ１３の配置を示す平面図である。また、図１７（ｂ）は、図１７（ａ）のＡ−Ａ’の断面図であり、バックライト装置１１の上部を図の右側に、下部を図の左側に表している。図１７で示すように、筐体１２内部の複数の冷陰極蛍光ランプ１３は、筐体１２の長手方向と平行に、等間隔に並べられている。
【０００５】
なお、特許文献１、特許文献２に開示されているバックライト装置においては、蛍光ランプの幅（ランプピッチ）を部分的に狭くする構造となっている。特許文献１に開示されているバックライト装置は、中央部付近の輝度を高くするために中央部のランプピッチが狭くなっている。また、特許文献２に開示されているバックライト装置は、発光面が傾斜しているために蛍光ランプと発光面との距離が均一でない。これにより発生している輝度ムラを、蛍光ランプと発光面との距離が長い部分のランプピッチを狭くすることにより抑制している。
【０００６】
特許文献３に開示されているバックライト装置は、バックライト装置の上部に比べて温度が低くなる下部にインバータを配置し、その発熱によりバックライト装置の下部を温めてバックライト装置内部の上下部分の温度差を小さくすることにより、バックライト装置の輝度分布を均一化するものである。
【特許文献１】特開２００４−２８７２２６号公報
【特許文献２】特開２００５−１４０９６２号公報
【特許文献３】実用新案登録第３１１０００４号公報
【発明の開示】
【発明が解決しようとする課題】
【０００７】
ところで、冷陰極蛍光ランプは、内面に蛍光体を塗布したガラス管内に、希ガスと微量の水銀を封入したものであり、周囲の温度の影響を受けやすく、図１８に示すような、周囲温度におけるランプ発光強度特性を有している。同図に示すグラフは、横軸に冷陰極蛍光ランプの中央部におけるガラス管表面温度を示し、縦軸には、冷陰極蛍光ランプの輝度が最も高い摂氏６５度を１００％とした相対的なランプ発光強度を示している。図１８に示すように、ランプ発光強度は、冷陰極蛍光ランプのガラス管表面温度が摂氏６０度〜７０度付近で強く、それよりも温度が低い場合、あるいは、温度が高い場合においては、ランプ発光強度は低下してしまう。以下、従来のバックライト装置の輝度ムラについて説明する。
【０００８】
図１９（ａ）および図２０（ａ）は、図１７（ａ）のＡ−Ａ’の断面における冷陰極蛍光ランプ１３の管壁温度分布を示すグラフであり、横軸にバックライト装置１１内での位置を示し、縦軸には管壁温度を示している。また、図１９（ｂ）および図２０（ｂ）は、図１７（ａ）のＡ−Ａ’の断面における輝度分布を示すグラフであり、縦軸に輝度を示し、横軸にはバックライト装置１１の発光面における位置を示している。なお、輝度分布は、バックライト装置１１の発光面の輝度が最も高いところを１００％とした比率で表している。
【０００９】
放熱構造を有していないバックライト装置や高電力仕様のバックライト装置では、図１９（ａ）に示すように、バックライト装置１１の上部において管壁温度が最適範囲（摂氏６０度〜７０度）よりも高温になる傾向がある。また、放熱構造を有しているバックライト装置や低電力仕様のバックライト装置では、図２０（ａ）に示すように、バックライト装置１１の下部において管壁温度が最適範囲よりも低温になる傾向がある。管壁温度が最適範囲よりも高温になる場合や低温になる場合は、冷陰極蛍光ランプ１３の温度特性により輝度が低下するので、図１９（ｂ）および図２０（ｂ）に示すように、管壁温度が最適範囲からずれたところで冷陰極蛍光ランプ１３の輝度が低下し、バックライト装置１１の発光面の輝度が均一でなくなる。
【００１０】
図２１は、従来のバックライト装置１１の発光面の輝度分布を示す図である。同図上における上がバックライト装置１１の発光面の上部に対応し、同図上における下が発光面の下部に対応している。発光面上部の符号１９ａで示す測定ポイントでは、冷陰極蛍光ランプ１３の周囲の温度が高くなっており、紫外線発光効率が低下したために、発光面下部の符号１９ｂで示す測定ポイントよりも輝度が２００〜３００ｃｄ／ｍ2低くなっている。
【００１１】
なお、特許文献３に記載された技術は、インバータをバックライト装置の下部に配置してバックライト装置の下部を温め、バックライト装置内部の温度差を小さくすることにより、輝度分布を均一化するものであるが、温度差を均等化することで輝度差を小さくするという思想は、微妙な温度設計が困難なので達成することは難しい。また、特許文献３の方法の場合では、バックライト装置が大型化すれば、インバータのサイズも大型化しなければならないことになり、コストの大幅アップや装置の重量化につながるという問題がある。
【００１２】
本発明は、上記に鑑みてなされたものであり、その課題とするところは、蛍光ランプの特性を生かすように温度特性による輝度分布を考慮し、バックライト装置の輝度分布を均一化することにある。
【課題を解決するための手段】
【００１３】
本発明に係るバックライト装置は、発光面を備えた筐体内に複数の蛍光ランプを平行に配置して、発光面に蛍光ランプの光を照射するバックライト装置であって、筐体内の温度分布の偏りによって蛍光ランプの輝度が低下する部分においては、蛍光ランプの輝度が低下しない部分よりも蛍光ランプの配置間隔を狭くしたことを特徴とする。
【００１４】
本発明にあっては、筐体内の温度分布の偏りによって一部の蛍光ランプの輝度が低下しても、蛍光ランプの輝度が低下する部分においては、蛍光ランプの輝度が低下しない部分よりも蛍光ランプの配置間隔を狭くすることにより、その蛍光ランプに対応する発光面に照射される光量が増加するので、発光面の輝度分布を均一化することができる。
【発明の効果】
【００１５】
本発明によれば、蛍光ランプの特性を生かすように温度特性による輝度分布を考慮し、バックライト装置の輝度分布を均一化することができる。
【発明を実施するための最良の形態】
【００１６】
［第１の実施の形態］
図１は、第１の実施の形態におけるバックライト装置内の蛍光ランプの配置を示す図である。図１（ａ）は、バックライト装置内の蛍光ランプの配置を示す平面図であり、図１（ｂ）は、図１（ａ）のＡ−Ａ’の断面図であって、バックライト装置１の上部を図の右側に、下部を図の左側に表している。
【００１７】
図１（ａ）に示すバックライト装置１は、複数の冷陰極蛍光ランプ３を光源として用いる直下式のバックライト装置１である。バックライト装置１は液晶パネルの背面に配置され、同図のＡの側を上にして立てて使用されるものである。
【００１８】
冷陰極蛍光ランプ３は、蛍光ランプの一種であり、ガラス管の中の内面に蛍光体を塗布し、希ガスと微量の水銀を封入したものである。また、冷陰極蛍光ランプ３のガラス管は、真っ直ぐな円筒型の直管で両端に電極を備えている。同図に示すバックライト装置１は、筐体２内部に、複数の冷陰極蛍光ランプ３を筐体２の長手方向と平行に並べたものであり、バックライト装置１の下部よりも上部のほうが、冷陰極蛍光ランプ３間の幅が狭くなっている。なお、図１（ｂ）に示すように、冷陰極蛍光ランプ３を並べた平面とバックライト装置１の上面の発光面とは平行であり、バックライト装置１の上面の発光面には、輝度ムラを低減するために拡散板２ａが取り付けられている。
【００１９】
図２（ａ）は、図１（ａ）のＡ−Ａ’の断面における冷陰極蛍光ランプ３の管壁温度分布を示すグラフであり、横軸はバックライト装置１内での位置を表し、縦軸は管壁温度を表している。図２（ｂ）は、図１（ａ）のＡ−Ａ’の断面における輝度分布を示すグラフであり、横軸はバックライト装置１の発光面における位置を表し、縦軸は輝度を表している。
【００２０】
冷陰極蛍光ランプ３は、図１８に示す周囲温度におけるランプ発光強度特性を有しているので、管壁温度分布が図２（ａ）に示すように、上部において最適範囲より高くなった場合、バックライト装置１の上部に配置された各冷陰極蛍光ランプ３の輝度は低下する。そこで、図１に示すように、輝度が低下する上部の冷陰極蛍光ランプ３の配置間隔を狭くすることにより、冷陰極蛍光ランプ３の輝度が低下しても、発光面に照射される光量が確保されるので、図２（ｂ）に示すように、発光面における輝度分布を均一化することができる。
【００２１】
図３は、第１の実施の形態における別のバックライト装置の蛍光ランプの配置を示す図である。図３（ａ）は、バックライト装置内の蛍光ランプの配置を示す平面図であり、図３（ｂ）は、図３（ａ）のＡ−Ａ’の断面図であって、バックライト装置１の上部を図の右側に、下部を図の左側に表している。
【００２２】
図３に示すバックライト装置１は、図１に示したものとは冷陰極蛍光ランプ３の配置が異なっており、冷陰極蛍光ランプ３間の幅がバックライト装置１の上部よりも下部のほうが狭くなっているものである。
【００２３】
図４（ａ）は、図３（ａ）のＡ−Ａ’の断面における管壁温度分布を示すグラフであり、横軸はバックライト装置１内での位置を表し、縦軸は管壁温度を表している。図４（ｂ）は、図３（ａ）のＡ−Ａ’の断面における輝度分布を示すグラフであり、横軸はバックライト装置１の発光面における位置を表し、縦軸は輝度を表している。
【００２４】
放熱構造を有しているバックライト装置や低電力仕様のバックライト装置では、図４（ａ）に示すように、バックライト装置１の下部において管壁温度が最適範囲よりも低温になる傾向があり、冷陰極蛍光ランプ３の管壁温度が最適範囲よりも低い場合は、冷陰極蛍光ランプ３の輝度が低下し、発光面に輝度ムラが生じてしまう。そこで、図３に示すように、輝度が低下する下部の冷陰極蛍光ランプ３の配置間隔を狭くすることにより、冷陰極蛍光ランプ３の輝度が低下しても、発光面に照射される光量が確保されるので、図４（ｂ）に示すように、発光面における輝度分布を均一化することができる。
【００２５】
図５は、第１の実施の形態におけるさらに別のバックライト装置の蛍光ランプの配置を示す図である。図５（ａ）は、バックライト装置内の蛍光ランプの配置を示す平面図であり、図５（ｂ）は、図５（ａ）のＡ−Ａ’の断面図であって、バックライト装置１の上部を図の右側に、下部を図の左側に表している。
【００２６】
図５に示すバックライト装置１は、図１に示したものとは冷陰極蛍光ランプ３の配置が異なっており、冷陰極蛍光ランプ３間の幅がバックライト装置１の中央部で広く、上部および下部において狭くなっているものである。
【００２７】
図６は、図５のＡ−Ａ’の断面における輝度分布を示すグラフであり、横軸はバックライト装置１の発光面での位置を、縦軸は輝度を表している。なお、図７は、従来のバックライト装置１１の図１７のＡ−Ａ’の断面図における輝度分布の一例を示すグラフである。
【００２８】
バックライト装置１の放熱構造などによっては、図７に示すように、冷陰極蛍光ランプ３の温度特性により輝度が上部および下部において低下することもあるので、輝度が低下している部分において、冷陰極蛍光ランプ３の配置間隔を狭くすることにより、発光面における輝度分布を均一化することができる。
【００２９】
次に、本発明によって発光面の輝度分布がどのように改善されたのか図を参照しながら説明する。図８は、第１の実施の形態におけるさらに別のバックライト装置２１内の蛍光ランプの配置を示す断面図であり、図９は、バックライト装置２１の発光面における輝度分布を示す図である。
【００３０】
図８に示すバックライト装置２１は、３２型の大きさのバックライト装置であって、筐体２２内に１６本の冷陰極蛍光ランプ２３を配置して拡散板２２ａにより密閉したものである。拡散板２２ａ上には、輝度ムラを低減するために、拡散シート２４、プリズムシート２５および偏光シート２６が配置されている。冷陰極蛍光ランプ２３は外径３ｍｍ、内径２ｍｍの円筒形の直管であって、ランプ電流は５．５ｍＡである。筐体２２内における冷陰極蛍光ランプ２３の配置間隔は、下部から上部にかけて幅が狭くなっており、筐体２２上部の符号２３ａにおける冷陰極蛍光ランプ２３の配置間隔は２３ｍｍであり、筐体２２下部の符号２３ｂにおける冷陰極蛍光ランプ２３の配置間隔は２５ｍｍである。
【００３１】
図２１で示したように、従来のバックライト装置１１では、発光面の上部と下部では約２００〜３００ｃｄ／ｍ2程度の輝度差を有していたが、バックライト装置２１では、図９に示すように、発光面上部の符号２９ａで示す測定ポイントと発光面下部の符号２９ｂで示す測定ポイントとの輝度差は１００ｃｄ／ｍ2以内に低減されている。
【００３２】
したがって、本実施の形態によれば、筐体２内部の温度分布が均一でないために冷陰極蛍光ランプ３の温度特性により輝度が低下している部分において、冷陰極蛍光ランプ３の輝度が低下していない部分よりも冷陰極蛍光ランプ３の配置間隔を狭くすることにより、発光面における輝度分布を均一化することができる。
【００３３】
なお、直管型の蛍光ランプに代えてＵ字型あるいはコの字型の蛍光ランプを使用する場合は、バックライト装置内部の温度分布に対応して、Ｕ字型・コの字型の蛍光ランプが備えた２つの直線部の間隔が異なるものを配置することにより、発光面の輝度分布を均一化するものでもよい。具体的には、輝度が低下する部分においては、Ｕ字型・コの字型の蛍光ランプが備えた２つの直線部の間隔がより狭いものを配置する。
【００３４】
図１０は、第１の実施の形態におけるさらに別のバックライト装置内の蛍光ランプの配置を示す断面図であり、図１１は、そのバックライト装置の発光面における輝度分布を示す図である。図１０に示すバックライト装置３１は、バックライト装置３１内の温度分布の偏りによって冷陰極蛍光ランプ３３の輝度が低下する部分の配置間隔を輝度が低下しない部分よりも狭くするとともに、符号３３ｃで示す中央部における冷陰極蛍光ランプ３３の配置間隔をさらに狭くしたものである。具体的には、符号３３ａで示す上部における冷陰極蛍光ランプ３３の配置間隔は２４ｍｍであり、符号３３ｂで示す下部における冷陰極蛍光ランプ３３の配置間隔は２６ｍｍであって、符号３３ｃで示す中央部における冷陰極蛍光ランプ３３の配置間隔は２０ｍｍである。このように、上部における冷陰極蛍光ランプ３３の配置間隔を下部よりも狭くすることにより、筐体３２内部の温度の上昇によって上部に配置した冷陰極蛍光ランプ３３の輝度が低下しても、発光面上部と発光面下部の輝度差を１００ｃｄ／ｍ2以内とすることができる。さらに、中央部における冷陰極蛍光ランプ３３の配置間隔を狭くすることによって、発光面中央部の輝度を向上させることができる。
【００３５】
［第２の実施の形態］
第１の実施の形態においては、蛍光ランプ間の幅を変更することにより輝度分布の均一化を図ったが、第２の実施の形態では、発光面と蛍光ランプとの距離を変更することにより輝度分布を均一化したバックライト装置について説明する。
【００３６】
図１２（ａ）は、第２の実施の形態におけるバックライト装置内の蛍光ランプの配置を示す平面図である。図１２（ｂ）は、図１２（ａ）のＡ−Ａ’の断面図であり、バックライト装置１の上部を図の右側に、下部を図の左側に表している。
【００３７】
図１２に示すバックライト装置４１は、複数の冷陰極蛍光ランプ４３を光源として用いる直下式のバックライト装置４１である。バックライト装置４１は、筐体４２内に複数の冷陰極蛍光ランプ４３を並べ、筐体４２の上面（発光面）を拡散板４２ａにより密閉している。図１２（ｂ）に示すように、冷陰極蛍光ランプ４３の配置間隔は同じであるが、下部に配置された冷陰極蛍光ランプ４３よりも上部に配置された冷陰極蛍光ランプ４３のほうが拡散板４２ａとの距離が短くなるように配置されている。具体的には、最上部に配置された冷陰極蛍光ランプ４３と拡散板４２ａとの距離は１２ｍｍであり、最下部に配置された冷陰極蛍光ランプ４３と拡散板４２ａとの距離は１４ｍｍとなっている。なお、上部から下部に向かって徐々に冷陰極蛍光ランプ４３と拡散板４２ａとの距離が長くなっている。
【００３８】
これにより、バックライト装置４１内の温度分布の偏りによって上部に配置された冷陰極蛍光ランプ４３の輝度が低下しても、下部に配置された冷陰極蛍光ランプ４３と比べて拡散板４２ａとの距離が短くなっていることにより、発光面上で観察される上部と下部の輝度差が低減され、発光面における輝度分布を均一化することができる。
【００３９】
したがって、本実施の形態によれば、筐体４２内部の温度分布が均一でないために、冷陰極蛍光ランプ４３の温度特性により輝度が低下している部分において、冷陰極蛍光ランプ４３の輝度が低下していない部分よりも冷陰極蛍光ランプ４３と発光面との距離を短くすることにより、バックライト装置の輝度分布を均一化することができる。
【００４０】
なお、発光面との距離は、図１２（ｂ）のように、徐々に変化するものに限らず、冷陰極蛍光ランプ何本かのまとまり毎に、発光面との距離を同じ長さで短くするといったように、階段状に変化するものであってもよい。
【００４１】
また、下部に配置した冷陰極蛍光ランプ４３の輝度が低下する場合には、下部において冷陰極蛍光ランプ４３と拡散板４２ａとの距離を短くすればよい。
【００４２】
［第３の実施の形態］
第３の実施の形態では、蛍光ランプの配置を変更せずに、蛍光ランプの温度に関する特性を変更することにより輝度分布を均一化したバックライト装置について説明する。
【００４３】
図１３は、第３の実施の形態におけるバックライト装置の蛍光ランプの配置を示す断面図である。同図に示すバックライト装置５１は、３２型の大きさのバックライト装置５１であって、筐体５２内に１６本の冷陰極蛍光ランプ５３を２３．５ｍｍで等間隔に配置し、拡散板５２ａにより密閉したものである。拡散板５２ａ上には、輝度ムラを低減するために、拡散シート５４、プリズムシート５５、偏光シート５６が配置されている。各冷陰極蛍光ランプ５３は外径３ｍｍ、内径２ｍｍの円筒形の直管であって、ランプ電流は５．５ｍＡで共通しているが、ガス圧は筐体５２内部における配置場所に応じて異なっている。
【００４４】
具体的には、符号５３ａで示されるバックライト装置の上部に配置された冷陰極蛍光ランプ５３のガス圧は５０ｔｏｒｒ（約６．７ｋＰａ）であり、符号５３ｂで示されるバックライト装置の中央部に配置された冷陰極蛍光ランプ５３のガス圧は５５ｔｏｒｒ（約７．３ｋＰａ）であり、符号５３ｃで示されるバックライト装置の下部に配置された冷陰極蛍光ランプ５３のガス圧は６０ｔｏｒｒ（約８．０ｋＰａ）である。
【００４５】
ガス圧が高いものに比べて、ガス圧が低い冷陰極蛍光ランプ５３の管壁温度は低くなるので、温度が上昇しやすいバックライト装置５１の上部にガス圧の低い冷陰極蛍光ランプ５３を配置することにより、上部に配置された冷陰極蛍光ランプ５３の管壁温度の上昇が抑えられ、輝度の低下を防ぐことができる。また、上部と下部の管壁温度の温度差が緩和され、冷陰極蛍光ランプ５３の発光強度の差が少なくなり、発光面の輝度差を低減することが可能である。
【００４６】
したがって、本実施の形態によれば、筐体５２内部の温度が高いために輝度が低下する冷陰極蛍光ランプ５３のガス圧を低くすることにより、その冷陰極蛍光ランプ５３の管壁温度の上昇が抑えられるので、その冷陰極蛍光ランプ５３の輝度の低下を防ぎ、発光面の輝度分布を均一化することができる。
【００４７】
なお、管壁温度が低くなるために輝度が低下する場合には、その輝度が低下する部分にガス圧の高い蛍光ランプを用いるとよい。
【００４８】
また、蛍光ランプ内に封入しているガスの組成を変更することによっても管壁温度を下げることができる。例えば、ＮｅとＡｒを含むガスの場合、質量数の大きいＡｒの比率を下げることにより管壁温度が下がるので、温度が高くなる上部に配置された蛍光ランプのＡｒの比率を下げることで、下部に配置された蛍光ランプの管壁温度との温度差が少なくなり、輝度分布を均一化することができる。管壁温度が低いために輝度が低下する場合には、質量数の大きい物質の比率を上げた蛍光ランプを用いるとよい。
【００４９】
［第４の実施の形態］
第４の実施の形態では、蛍光ランプの配置を変更せずに、蛍光ランプの明るさに関する特性を変更することによって輝度分布を均一化したバックライト装置について説明する。
【００５０】
蛍光ランプの配置については、図１３に示したものと同様に等間隔に並べたものである。バックライト装置内に配置された各蛍光ランプは、電圧を個別に制御できるようになっている。バックライト装置内部の温度分布が均一でないために、輝度が低下している蛍光ランプの電力を大きくすることで、蛍光ランプの輝度を上げることができるので、バックライト装置の発光面の輝度分布を均一化することができる。例えば、上部の温度が高くなって暗くなる場合、上部と下部とで０．１Ｗ〜０．５Ｗ程度の差を設ければよい。
【００５１】
したがって、本実施の形態によれば、バックライト装置内部の温度分布が均一でないため温度特性により輝度が低下している蛍光ランプの電力を上げることにより、蛍光ランプの輝度が保たれるので、発光面の輝度分布を均一化することができる。
【００５２】
なお、蛍光ランプのデューティ比を変更することによっても蛍光ランプの電力を制御することができる。例えば、温度分布の偏りによって輝度が低下している蛍光ランプのオンデューティを長くすることで、その蛍光ランプの電力が上がるので、輝度の低下を防ぎ、輝度分布を均一化することができる。
【００５３】
［第５の実施の形態］
第５の実施の形態では、蛍光ランプの配置および特性は変更せず、筐体に配置された反射板を変更することにより輝度分布を均一化したバックライト装置について説明する。
【００５４】
図１４は、第５の実施の形態におけるバックライト装置の構成を示す断面図である。同図に示すバックライト装置６１は、筐体６２内に１６本の冷陰極蛍光ランプ６３を等間隔に配置して拡散板６２ａにより密閉したものである。拡散板６２ａ上には、輝度ムラを低減するために、拡散シート６４、プリズムシート６５、偏光シート６６が配置されている。筐体６２の内側には、上部から下部にかけて反射率の高い順に反射板６７ａ、６７ｂ、６７ｃを備えている。これにより、筐体６２内部の温度の影響で上部に配置した冷陰極蛍光ランプ６３の輝度が低下しても、輝度が低下する冷陰極蛍光ランプ６３の背後にある反射板６７ａの反射率を高くすることにより、輝度が低下する発光面により多くの光が照射されるので、発光面における輝度分布を均一化することができる。
【００５５】
図１５は、第５の実施の形態における別のバックライト装置の構成を示す断面図である。同図に示すバックライト装置７１は、図１４に示したものに対して、反射率の異なる反射板を配置する代わりに、反射板に突起７７ａを備えたものである。この突起７７ａによって、冷陰極蛍光ランプ７３から放射された光を反射し、筐体７２内部の温度の影響で輝度が低下する部分に、より多くの光が照射されるようにすることで、発光面の輝度分布を均一化するものである。
【００５６】
したがって、本実施の形態によれば、筐体６２内部の温度が高くなることにより輝度が低下している冷陰極蛍光ランプ６３に対応する部分の反射板の反射率を高くすることにより、より多くの光が輝度の低下している発光面に照射されるので、バックライト装置の輝度分布を均一化することができる。
【図面の簡単な説明】
【００５７】
【図１】（ａ）は第１の実施の形態におけるバックライト装置の構成を示す平面図であり、（ｂ）は第１の実施の形態におけるバックライト装置の断面図である。
【図２】（ａ）は第１の実施の形態におけるバックライト装置内部の温度分布を示すグラフであり、（ｂ）は第１の実施の形態におけるバックライト装置の輝度分布を示すグラフである。
【図３】（ａ）は第１の実施の形態における別のバックライト装置の構成を示す平面図であり、（ｂ）は第１の実施の形態における別のバックライト装置の断面図である。
【図４】（ａ）は第１の実施の形態における別のバックライト装置内部の温度分布を示すグラフであり、（ｂ）は第１の実施の形態における別のバックライト装置の輝度分布を示すグラフである。
【図５】（ａ）は第１の実施の形態におけるさらに別のバックライト装置の構成を示す平面図であり、（ｂ）は第１の実施の形態におけるさらに別のバックライト装置の断面図である。
【図６】第１の実施の形態におけるさらに別のバックライト装置の輝度分布を示すグラフである。
【図７】従来のバックライト装置の輝度分布を示すグラフである。
【図８】第１の実施の形態におけるさらに別のバックライト装置の構成を示す断面図である。
【図９】図８のバックライト装置の発光面の輝度分布を示す図である。
【図１０】第１の実施の形態におけるさらに別のバックライト装置の構成を示す断面図である。
【図１１】図１０のバックライト装置の発光面の輝度分布を示す図である。
【図１２】（ａ）は第２の実施の形態におけるバックライト装置の構成を示す平面図であり、（ｂ）は第２の実施の形態におけるバックライト装置の構成を示す断面図である。
【図１３】第３の実施の形態におけるバックライト装置の構成を示す断面図である。
【図１４】第５の実施の形態におけるバックライト装置の構成を示す断面図である。
【図１５】第５の実施の形態における別のバックライト装置の構成を示す断面図である。
【図１６】従来のバックライト装置の構成を示す斜視図である。
【図１７】（ａ）は従来のバックライト装置の構成を示す平面図であり、（ｂ）は従来のバックライト装置の断面図である。
【図１８】蛍光ランプのガラス管表面温度に対するランプ発光強度を示すグラフである。
【図１９】（ａ）は従来のバックライト装置内部の温度分布を示すグラフであり、（ｂ）は従来のバックライト装置の輝度分布を示すグラフである。
【図２０】（ａ）は従来の別のバックライト装置内部の温度分布を示すグラフであり、（ｂ）は従来の別のバックライト装置の輝度分布を示すグラフである。
【図２１】従来のバックライト装置の発光面の輝度分布を示す図である。
【符号の説明】
【００５８】
１，１１，２１，３１，４１，５１，６１，７１…バックライト装置
２，１２，２２，３２，４２，５２，６２，７２…筐体
２ａ，１２ａ，２２ａ，３２ａ，４２ａ，５２ａ，６２ａ，７２ａ…拡散板
３，１３，２３，３３，４３，５３，６３，７３…蛍光ランプ
１４，２４，３４，５４，６４，７４…拡散シート
１５，２５，３５，５５，６５，７５…プリズムシート
１６，２６，３６，５６，６６，７６…偏光シート
１７…フロントフレーム
６７ａ，６７ｂ，６７ｃ…反射板
７７ａ…突起
【図１】
2007280915.tif 000003
【図２】
2007280915.tif 000004
【図３】
2007280915.tif 000005
【図４】
2007280915.tif 000006
【図５】
2007280915.tif 000007
【図６】
2007280915.tif 000008
【図７】
2007280915.tif 000009
【図１２】
2007280915.tif 000010
【図１３】
2007280915.tif 000011
【図１４】
2007280915.tif 000012
【図１５】
2007280915.tif 000013
【図１６】
2007280915.tif 000014
【図１７】
2007280915.tif 000015
【図１８】
2007280915.tif 000016
【図１９】
2007280915.tif 000017
【図２０】
2007280915.tif 000018
【図８】
2007280915.tif 000019
【図９】
2007280915.tif 000020
【図１０】
2007280915.tif 000021
【図１１】
2007280915.tif 000022
【図２１】
2007280915.tif 000023